(57)【要約】【課題】掃除機用吸込具において、使用時の耳障りな音を低減し、また掃除機の耐久性も向上すること。【解決手段】パイプ径の異なる複数のパイプＡ１０、Ｂ１１、Ｃ１２にて構成され伸縮可能な吸込具において、前記複数のパイプの外周それぞれに孔１５、１６、１７を設け、前記孔の総開口面積が、パイプの最小の通路面積より大きくなるように構成した。これにより、複数の孔からも吸気でき、掃除機用吸込具の先端からの吸引風の風速を低下させて、耳障りな音を低減できる。また掃除機用吸込具の先端にゴミが詰った場合でも、複数の孔から充分な吸気風を確保できるので、電動送風機やホースなどに無理な力が加わる事もなく耐久性を向上できる。【選択図】図２
2007268044.tif 000002
【特許請求の範囲】
【請求項１】
パイプ径の異なる複数のパイプにて構成され伸縮可能な吸込具において、前記複数のパイプの外周それぞれに孔を設け、前記孔の総開口面積が、パイプの最小の通路面積より大きくなるように構成した掃除機用吸込具。
【請求項２】
パイプを縮めた状態で、孔の一部または全部が重なり合って、最も内側に位置するパイプの内側と最も外側に位置するパイプの外側とを連通する連通孔を形成する請求項１記載の掃除機用吸込具。
【請求項３】
連通孔を形成する複数の孔は、それぞれの開口面積の大きさを異ならせて設けられ、パイプを縮めた状態で最も内側に位置するパイプに設けられた孔の開口面積が最も小さくなるようにし、外側のパイプに向かうほど、そのパイプに設けた孔の開口面積が大きくなるように構成した請求項２記載の掃除機用吸込具。
【請求項４】
連通孔の開口面積は、少なくとも、連通孔を形成する複数の孔の最小の開口面積と同じか、それ以上とした請求項２記載の掃除機用吸込具。
【請求項５】
請求項１〜４のいずれか１項に記載の掃除機用吸込具を備えた電気掃除機。
【発明の詳細な説明】
【技術分野】
【０００１】
本発明は、スキマの掃除などに適した伸縮式の掃除機用吸込具及びこれを用いた電気掃除機に関するものである。
【背景技術】
【０００２】
従来の掃除機用吸込具について、図７を用いて説明する。
【０００３】
図７は、従来の電気掃除機用の隙間用ノズルを示すものである。伸縮式のノズル本体２０は、先端側ノズル２０ａと根元部ノズル２０ｂとで構成されており、先端側ノズル２０ａの先には第１突起部２１を形成し、ここにブラシ２３を取り付けていた。またこの第１突起部２１は先端側ノズル２０ａを根元部ノズル２０ｂから引き出すための引っ掛けも兼ねる構成としている（例えば、特許文献１参照）。
【特許文献１】実公平６−３４７７１号公報
【発明の開示】
【発明が解決しようとする課題】
【０００４】
しかしながら、上記従来の掃除機用吸込具においては、家具間などの狭い隙間を掃除するには吸込み具の先端はできるだけ幅が小さい方が良く且つブラシ２３等を取り付けているので先端の開口面積はさらに小さくなり電気掃除機の吸引による吸気風のスピードが速く音がうるさくなる。またより狭い家具間などの隙間を掃除できるように吸込み具の幅を狭く構成すると開口面積が狭くなり通気の抵抗が増え掃除機本体の電動送風機やホースに無理な力が加わり耐久性が低下する課題があった。さらに先端側ノズル２０ａと根元部ノズル２０ｂとは伸ばした位置で固定するようにすると伸縮の操作が硬くなり、第１突起部２１を引っ掛けても伸縮しにくく、また操作を軽くできるようにすると先端側ノズル２０ａが根元部ノズル２０ｂ側に固定できず使用時に根元部ノズル２０ｂに入り込んでしまう等の課題があった。本発明は使用時に音が低減でき、掃除機の耐久性も向上できる使い勝手の良い掃除機用吸込具及びこれを用いた電気掃除機を提供することを目的とする。
【課題を解決するための手段】
【０００５】
前記従来の課題を解決するために、本発明の掃除機用吸込具は、パイプ径の異なる複数のパイプにて構成され伸縮可能な吸込具において、前記複数のパイプ外周にそれぞれ孔を設け、前記孔の総開口面積が、パイプの最小の通路面積より大きくなるように構成したものである。
【０００６】
これによって、総開口面積がパイプの最小の通路面積より大きい複数の孔からも吸気できるので、掃除機用吸込具の先端からの吸引風の風速を低下して、耳障りな音を低減できる。また、掃除機用吸込具の先端がゴミ等で詰った場合でも、複数の孔から充分な吸気風を確保できるので、電動送風機やホースなどに無理な力が加わる事もなく耐久性も向上できる。
【発明の効果】
【０００７】
本発明の掃除機用吸込具は、耳障りな音を低減できる。また電動送風機やホースなどに無理な力が加わる事もなく耐久性を向上できる。
【発明を実施するための最良の形態】
【０００８】
第１の発明は、パイプ径の異なる複数のパイプにて構成され伸縮可能な吸込具において、前記複数のパイプ外周にそれぞれ孔を設け、前記孔の総開口面積が、パイプの最小の通路面積より大きくなるように構成した。これにより、掃除作用にて複数の孔から吸気できるので掃除機用吸込具の先端からの吸引風の風速を低下でき、耳障りな音を低減できる。また先端部やパイプのうちにゴミが詰った場合でも複数の孔から充分な吸気風を確保できるので、電動送風機やホースなどに無理な力が加わる事もなく耐久性を向上できる。
【０００９】
第２の発明は、第１の発明のパイプを縮めた状態で、孔の一部または全部が重なり合って、最も内側に位置するパイプの内側と最も外側に位置するパイプの外側とを連通する連通孔を形成する構成とした。これにより、第１の発明の効果に加え、パイプを縮めた状態でも連通孔から吸気でき、パイプの伸縮状態に関わらず、耳障りな音を低減でき、また電動送風機やホースなどに無理な力が加わる事もなく耐久性を向上できる。
【００１０】
第３の発明は、第２の発明の連通孔を形成する複数の孔は、それぞれの開口面積の大きさを異ならせて設けられ、パイプを縮めた状態で最も内側に位置するパイプに設けられた孔の開口面積が最も小さくなるようにし、外側のパイプに向かうほど、そのパイプに設けた孔の開口面積が大きくなるように構成した。これにより、第２の発明の効果に加え、パイプを縮めた状態で掃除作業を行うときに重なり合った連通孔で発生する耳障りな、風きり音を低減できるようになる。
【００１１】
第４の発明は、第２の発明の連通孔の開口面積は、少なくとも、連通孔を形成する複数の孔の最小の開口面積と同じか、それ以上とした。これにより、第２の発明の効果に加え、パイプを縮めた状態でも、連通孔から充分な吸気風を確保できるので、掃除機用吸込具の先端からの吸引風の風速を所定レベルまで確実に低下でき、耳障りな音を確実に低減できる。また、パイプを縮めた状態でも、連通孔から充分な吸気風を確保できるので電動送風機やホースなどに無理な力が加わる事もなく耐久性を確実に向上できる。
【００１２】
第５の発明は、第１〜第４のいずれか１つの発明の掃除機用吸込具を備えた電気掃除機としたもので、家具のすき間などを使い勝手良く掃除できる電気掃除機を提供することができる。
【００１３】
以下、本発明の実施の形態について、図面を参照しながら説明する。なお、この実施の形態によってこの発明が限定されるものではない。
【００１４】
（実施の形態１）
以下、本発明の第１の実施の形態における掃除機用吸込具について図１〜図６を用いて説明する。
【００１５】
図１は、本発明の電気掃除機用吸込具およびそれを接続した床移動型の電気掃除機の全体斜視図である。
【００１６】
図において、電気掃除機１は、先端に掃除機用吸込具３を着脱可能に装着された手元ハンドル（手元操作筒）４と、手元ハンドル４から延出しホース継ぎ手５を介して掃除機本体７に接続されるホース６とを有し、前記掃除機本体７には、電動送風機（図示せず）とこれを制御する制御部材（図示せず）が内蔵されている。
【００１７】
次に、上記掃除機用吸込具３の詳細について、図２から図６を用いて説明する。
【００１８】
掃除機用吸込具３は、図２に示すように、樹脂材料にて形成されたパイプＡ１０とパイプＢ１１とパイプＣ１２とパイプＡ１０とパイプＡ１０の先端に着脱自在に取り付けたブラシ体１４とで構成している。１３はパイプＡ１０の通路面積を示している。１５はパイプＡの側面に設けた孔Ａであり、同じくパイプＢ１２には孔Ｂ１６とパイプＣ１２には孔Ｃ１７を形成している。このように本実施の形態によれば、パイプの側面に複数の孔を設けているのでパイプＡ１０の先端開口だけでなく複数の孔からも吸気するので掃除機用吸込具の先端から吸引風の風速が低下でき耳障りな音が低減する。また先端部以外に複数の孔からも充分な吸気風を確保できるので電動送風機やホースなどに無理な力が加わる事もなく耐久性が向上する。
【００１９】
この孔は図３に示すようにパイプを縮めた状態では重なり合う位置に構成されていて３つの孔で連通孔１８を形成する。この３つの孔Ａ１５、孔Ｂ１６、孔Ｃ１７の開口面積の大きさは孔Ａ＜孔Ｂ＜孔Ｃの様に先端側を小さく構成している。また孔Ａ１５と孔Ｂ１６と孔Ｃ１７との合計の総開口面積はパイプＡ１０の通路面積１３より大きく構成されている。このように本実施の形態によれば、３つの孔が重なり合う位置にあるので縮めた状態でもパイプＡの先端開口の吸気風に加え連通孔１８が形成されるのでパイプを縮めた状態で掃除作業を行っても先端から吸引風の風速が低下でき耳障りな音が低減できる。また複数の孔は開口面積の大きさを異なる面積にし、先端側の孔Ａ１５の開口面積を小さく構成にした事により、パイプを縮めた状態で掃除作業を行うときに重なり合った連通孔１８で発生する耳障りな風きり音を低減できる。また孔Ａ１５と孔Ｂ１６と孔Ｃ１７との合計の総開口面積はパイプＡ１０の通路面積１３より大きく構成されているので、パイプＡ１０の先端や内側にゴミが詰った場合でも孔Ａ１５と孔Ｂ１６と孔Ｃ１７の開口で充分な通気面積が確保できるので電動送風機やホースなどに無理な力が加わる事もなく耐久性が向上する。
【００２０】
図４、図５、図６に示すように１９はパイプＢ１１に設けた押し釦であり、この押し釦１９を押すとパイプＢ１１の内壁に形成している凸部２０に係り縮むのを防いでいるパイプＡ１０に形成した爪部２１が内側に変位し係りが解除されるのでパイプＡ１１はパイプＢ１２内に収納される。押し釦１９と爪部２１の外周にはスリット部２２、２３を設けているので押し釦１９や爪部２１はスムーズに操作できる。また爪部２２の幅Ａ２４に対して押し釦１９の幅Ｂ２５は広く構成している。よって押し釦１９を強く押しても爪部２２に無理な力が加わるのを防止できるので耐久性が向上できる。
【産業上の利用可能性】
【００２１】
以上のように、本発明にかかる掃除機用吸込具及びこれを用いた電気掃除機は、掃除機用吸込具の先端からの吸引風の風速を低下して、耳障りな音を低減できる。また電動送風機やホースなどに無理な力が加わる事もなく耐久性を向上できるので、業務用掃除機などの吸込具にも適用できる。
【図面の簡単な説明】
【００２２】
【図１】本発明の実施の形態１の掃除機用吸込具を接続した電気掃除機の全体斜視図
【図２】（ａ）同掃除機用吸込具を伸ばした状態の平面図（ｂ）同掃除機用吸込具の断面図
【図３】同掃除機用吸込具を縮めた状態の平面図
【図４】同掃除機用吸込具の要部断面図
【図５】同掃除機用吸込具の押し釦まわりの詳細図
【図６】同掃除機用吸込具の爪部まわりの詳細図
【図７】従来の掃除機用吸込具の断面図
【符号の説明】
【００２３】
３  掃除機用吸込具
７  掃除機本体
１０  パイプＡ
１１  パイプＢ
１２  パイプＣ
１３  通路面積
１４  毛ブラシ体
１５  孔Ａ
１６  孔Ｂ
１７  孔Ｃ
１８  連通孔
１９  押し釦
２１  爪部
２２、２３  スリット
２４  幅Ａ
２５  幅Ｂ
【図１】
2007268044.tif 000003
【図２】
2007268044.tif 000004
【図３】
2007268044.tif 000005
【図４】
2007268044.tif 000006
【図５】
2007268044.tif 000007
【図６】
2007268044.tif 000008
【図７】
2007268044.tif 000009